(57)【要約】 【課題】  出力したファクシミリ画像の宛先についての識別性を向上することができるファクシミリ装置および受信画像処理方法を提供する。【解決手段】  受信手段４は、２つ通信回線２ａ，２ｂに接続され、各通信回線２ａ，２ｂを介して与えられるファクシミリ画像を受信する。合成画像生成手段５は、受信手段４によって受信したファクシミリ画像と、ファクシミリ画像の受信に用いられた通信回線を識別するための回線識別画像とを合成して、合成画像を生成する。この合成画像生成手段５は、ファクシミリ画像と回線識別画像とを合成するにあたって、ファクリミリ画像に対する回線識別画像の位置を各通信回線２ａ，２ｂ毎に異ならせる。このように合成して生成した合成画像を、合成画像出力手段６によって出力する。【選択図】      図１
2005260463.tif 000002
【特許請求の範囲】
【請求項１】
複数の通信回線に接続され、各通信回線を介して与えられるファクシミリ画像を受信する受信手段と、
受信手段によって受信したファクシミリ画像と、ファクシミリ画像の受信に用いられた通信回線を識別するための回線識別画像とを、ファクリミリ画像に対する回線識別画像の位置を各通信回線毎に異ならせて、合成して、合成画像を生成する合成画像生成手段と、
合成画像生成手段によって生成した合成画像を出力する合成画像出力手段とを含むことを特徴とするファクシミリ装置。
【請求項２】
ファクシミリ画像に対する回線識別画像の各通信回線毎の位置は、相互に離反することを特徴とする請求項１記載のファクシミリ装置。
【請求項３】
複数の通信回線に接続され、各通信回線を介して与えられるファクシミリ画像を受信する受信手段と、
受信手段によって受信したファクシミリ画像と、ファクシミリ画像の受信に用いられた通信回線を識別するための回線識別画像とを、回線識別画像の態様を各通信回線毎に異ならせて、合成して、合成画像を生成する合成画像生成手段と、
合成画像生成手段によって生成した合成画像を出力する合成画像出力手段とを含むことを特徴とするファクシミリ装置。
【請求項４】
回線識別画像は、各通信回線毎に異なる内容情報を有することを特徴とする請求項１〜３のいずれか１つに記載のファクシミリ装置。
【請求項５】
内容情報は、変更可能であることを特徴とする請求項４記載のファクシミリ装置。
【請求項６】
複数の通信回線のいずれか１つを介してファクシミリ画像を受信し、
受信したファクシミリ画像と、ファクシミリ画像の受信に用いられた通信回線を識別するための回線識別画像とを、ファクリミリ画像に対する回線識別画像の位置を各通信回線毎に異ならせて、合成して、合成画像を生成することを特徴とする受信画像処理方法。
【請求項７】
複数の通信回線のいずれか１つを介してファクシミリ画像を受信し、
受信したファクシミリ画像と、ファクシミリ画像の受信に用いられた通信回線を識別するための回線識別画像とを、回線識別画像の態様を各通信回線毎に異ならせて、合成して、合成画像を生成することを特徴とする受信画像処理方法。
【発明の詳細な説明】
【技術分野】
【０００１】
複数の通信回線に接続され、各通信回線を介して与えられるファクシミリ画像を受信して、受信したファクシミリ画像を処理して、その処理したファクシミリ画像を出力するファクシミリ装置および受信画像処理方法に関する。
【背景技術】
【０００２】
従来の技術は、特許文献１に記載されている。特許文献１のファクシミリ装置は、複数の電話番号での受信が可能である。このファクシミリ装置は、受信時に受信元の電話番号を認識し、その認識した受信元の電話番号を、受信画像とともに用紙に印字する。したがって、受信画像とともに用紙に印字された受信元の電話番号を見れば、ファクシミリ装置のユーザは、用紙に印字された受信画像がどの電話番号宛に送られたものであるかを判断することができる。
【０００３】
用紙に印字された受信元の電話番号は、本発明における回線識別画像に相当する。回線識別画像は、ファクシミリ画像の受信に用いられた通信回線を識別するための画像である。
【０００４】
【特許文献１】特許第３１０９５８３号公報
【発明の開示】
【発明が解決しようとする課題】
【０００５】
前記従来の技術のファクシミリ装置は、受信元の電話番号を、用紙の所定の位置に、所定の態様で印字する。したがって、用紙に印字された各受信元の電話番号は、一部の数字が相互に異なるだけであり、見た目の相違が小さい。それ故、ファクシミリ装置のユーザは、用紙に印字された受信元の電話番号を注意深く見なければ、その用紙に印字された受信画像がどの電話番号宛に送られたものであるかを判断することができない。このような前記従来の技術に対しては、用紙に印字された受信画像の宛先についての識別性を向上することが望まれる。
【０００６】
したがって本発明の目的は、出力したファクシミリ画像の宛先についての識別性を向上することができるファクシミリ装置および受信画像処理方法を提供することである。
【課題を解決するための手段】
【０００７】
本発明は、複数の通信回線に接続され、各通信回線を介して与えられるファクシミリ画像を受信する受信手段と、
受信手段によって受信したファクシミリ画像と、ファクシミリ画像の受信に用いられた通信回線を識別するための回線識別画像とを、ファクリミリ画像に対する回線識別画像の位置を各通信回線毎に異ならせて、合成して、合成画像を生成する合成画像生成手段と、
合成画像生成手段によって生成した合成画像を出力する合成画像出力手段とを含むことを特徴とするファクシミリ装置である。
【０００８】
また本発明は、ファクシミリ画像に対する回線識別画像の各通信回線毎の位置は、相互に離反することを特徴とする。
【０００９】
また本発明は、複数の通信回線に接続され、各通信回線を介して与えられるファクシミリ画像を受信する受信手段と、
受信手段によって受信したファクシミリ画像と、ファクシミリ画像の受信に用いられた通信回線を識別するための回線識別画像とを、回線識別画像の態様を各通信回線毎に異ならせて、合成して、合成画像を生成する合成画像生成手段と、
合成画像生成手段によって生成した合成画像を出力する合成画像出力手段とを含むことを特徴とするファクシミリ装置である。
【００１０】
また本発明は、回線識別画像は、各通信回線毎に異なる内容情報を有することを特徴とする。
【００１１】
また本発明は、内容情報は、変更可能であることを特徴とする。
また本発明は、複数の通信回線のいずれか１つを介してファクシミリ画像を受信し、
受信したファクシミリ画像と、ファクシミリ画像の受信に用いられた通信回線を識別するための回線識別画像とを、ファクリミリ画像に対する回線識別画像の位置を各通信回線毎に異ならせて、合成して、合成画像を生成することを特徴とする受信画像処理方法である。
【００１２】
また本発明は、複数の通信回線のいずれか１つを介してファクシミリ画像を受信し、
受信したファクシミリ画像と、ファクシミリ画像の受信に用いられた通信回線を識別するための回線識別画像とを、回線識別画像の態様を各通信回線毎に異ならせて、合成して、合成画像を生成することを特徴とする受信画像処理方法である。
【発明の効果】
【００１３】
本発明によれば、受信手段は、複数の通信回線に接続され、各通信回線を介して与えられるファクシミリ画像を受信する。合成画像生成手段は、受信手段によって受信したファクシミリ画像と、ファクシミリ画像の受信に用いられた通信回線を識別するための回線識別画像とを合成して、合成画像を生成する。この合成画像生成手段は、ファクシミリ画像と回線識別画像とを合成するにあたって、ファクリミリ画像に対する回線識別画像の位置を各通信回線毎に異ならせる。このように合成して生成した合成画像を、合成画像出力手段によって出力する。
【００１４】
合成画像出力手段によって出力した合成画像は、ファクシミリ画像に対する回線識別画像の位置が各通信回線毎に異なる。このようにファクシミリ画像に対する回線識別画像の位置が各通信回線毎に異なるので、出力した合成画像は、各通信回線毎に見た目の相違が大きい。したがって、出力した合成画像が含むファクシミリ画像の受信に用いられた通信回線についての識別性を向上することができる。通信回線についての識別は、宛先についての識別に相当する。つまり本発明によれば、出力した合成画像が含むファクシミリ画像の宛先についての識別性を向上することができる。
【００１５】
また本発明によれば、ファクシミリ画像に対する回線識別画像の各通信回線毎の位置が、相互に離反するので、それらの位置が相互に近接する場合に比べて、出力した合成画像は、各通信回線毎の見た目の相違が大きくなる。したがって、出力した合成画像が含むファクシミリ画像の宛先についての識別性を可及的に向上することができる。
【００１６】
また本発明によれば、受信手段は、複数の通信回線に接続され、各通信回線を介して与えられるファクシミリ画像を受信する。合成画像生成手段は、受信手段によって受信したファクシミリ画像と、ファクシミリ画像の受信に用いられた通信回線を識別するための回線識別画像とを合成して、合成画像を生成する。この合成画像生成手段は、ファクシミリ画像と回線識別画像とを合成するにあたって、回線識別画像の態様を各通信回線毎に異ならせる。このように合成して生成した合成画像を、合成画像出力手段によって出力する。
【００１７】
合成画像出力手段によって出力した合成画像は、回線識別画像の態様が各通信回線毎に異なる。このように回線識別画像の態様が各通信回線毎に異なるので、出力した合成画像は、各通信回線毎に見た目の相違が大きい。したがって、出力した合成画像が含むファクシミリ画像の受信に用いられた通信回線についての識別性を向上することができる。通信回線についての識別は、宛先についての識別に相当する。つまり本発明によれば、出力した合成画像が含むファクシミリ画像の宛先についての識別性を向上することができる。
【００１８】
また本発明によれば、各通信回線毎に異なる内容情報を有する回線識別画像が用いられるので、同一の内容情報を有する回線識別画像が用いられる場合に比べて、出力した合成画像は、各通信回線毎の見た目の相違が大きくなる。したがって、出力した合成画像が含むファクシミリ画像の宛先についての識別性をさらに向上することができる。
【００１９】
また本発明によれば、内容情報の変更が可能であるので、ファクシミリ装置の使用形態に合わせて内容情報を変更することができ、利便性を向上することができる。
【００２０】
また本発明によれば、複数の通信回線のいずれか１つを介してファクシミリ画像を受信する。そして受信したファクシミリ画像と、ファクシミリ画像の受信に用いられた通信回線を識別するための回線識別画像とを合成して、合成画像を生成する。ファクシミリ画像と回線識別画像とを合成するにあたっては、ファクリミリ画像に対する回線識別画像の位置を各通信回線毎に異ならせる。それ故、生成した合成画像は、ファクシミリ画像に対する回線識別画像の位置が各通信回線毎に異なる。
【００２１】
このような合成画像を出力した場合、出力した合成画像は、各通信回線毎に見た目の相違が大きい。したがって、出力した合成画像が含むファクシミリ画像の受信に用いられた通信回線についての識別性を向上することができる。通信回線についての識別は、宛先についての識別に相当する。つまり本発明によれば、出力した合成画像が含むファクシミリ画像の宛先についての識別性を向上することができる。
【００２２】
また本発明によれば、複数の通信回線のいずれか１つを介してファクシミリ画像を受信する。そして受信したファクシミリ画像と、ファクシミリ画像の受信に用いられた通信回線を識別するための回線識別画像とを合成して、合成画像を生成する。ファクシミリ画像と回線識別画像とを合成するにあたっては、回線識別画像の態様を各通信回線毎に異ならせる。それ故、生成した合成画像は、回線識別画像の態様が各通信回線毎に異なる。
【００２３】
このような合成画像を出力した場合、出力した合成画像は、各通信回線毎に見た目の相違が大きい。したがって、出力した合成画像が含むファクシミリ画像の受信に用いられた通信回線についての識別性を向上することができる。通信回線についての識別は、宛先についての識別に相当する。つまり本発明によれば、出力した合成画像が含むファクシミリ画像の宛先についての識別性を向上することができる。
【発明を実施するための最良の形態】
【００２４】
図１は、本発明の実施の一形態のファクシミリ装置１の機能ブロック図である。本実施の形態のファクシミリ装置１は、複数の通信回線２に接続される装置であって、各通信回線２を介して与えられるファクシミリ画像を受信して、受信したファクシミリ画像を処理して、その処理したファクシミリ画像を出力する装置である。本実施の形態では、ファクシミリ装置１は、２つの通信回線２ａ，２ｂ、すなわち第１および第２通信回線２ａ，２ｂに接続される。
【００２５】
通信回線２は、ファクシミリ装置１と交換機との間でファクシミリ画像を伝送する伝送路である。ファクシミリ装置１と交換機とは、２つの加入者線によって接続され、これらの各加入者線で１つずつ通信回線２ａ，２ｂが実現される。また、ファクシミリ装置１と交換機とは、１つの加入者線によって接続され、１つの加入者線で２つの通信回線２ａ，２ｂが実現されてもよい。
【００２６】
ファクシミリ装置１は、各通信回線２ａ，２ｂ毎に異なるユーザに使用されることが想定される。このファクシミリ装置１は、たとえば会社および家庭で使用される。一例として述べると、会社で使用される場合、各通信回線２ａ，２ｂは、各部門毎に分けられる。また、ＳＯＨＯ（Small Office Home Office）の場合、すなわち家庭で使用される場合であって、その家庭を職場とする場合、各通信回線２ａ，２ｂは、プライベート用とビジネス用とに分けられる。また、家庭で使用される場合、各通信回線２ａ，２ｂは、大人用と子供用とに分けられる。
【００２７】
ファクシミリ画像は、符号化されて変調されたデータとして、ファクシミリ装置１に与えられる。ファクシミリ装置１は、前述のようなファクシミリ画像を受信して、受信したファクシミリ画像を、データとして、復調および復号して、さらに処理して、その処理したファクシミリ画像を、可視画像として出力する。可視画像は、ファクシミリ画像のデータを用いて、たとえば記録紙などの記録シートに印刷した画像である。
【００２８】
ファクシミリ装置１は、受信手段４と、合成画像生成手段５と、合成画像出力手段６とを含む。受信手段４は、第１および第２通信回線２ａ，２ｂに接続され、各通信回線２ａ，２ｂを介して与えられるファクシミリ画像を受信する。合成画像生成手段５は、受信手段４によって受信したファクシミリ画像と、ファクシミリ画像の受信に用いられた通信回線２を識別するための回線識別画像とを合成して、合成画像を生成する。合成画像出力手段６は、合成画像生成手段５によって生成した合成画像を、たとえば記録シートに印刷して出力する。
【００２９】
前記合成画像生成手段５は、ファクシミリ画像と回線識別画像とを合成するにあたって、ファクリミリ画像に対する回線識別画像の位置を各通信回線２ａ，２ｂ毎に異ならせる。この合成画像生成手段５は、復号手段８と、回線識別手段９と、内容情報記憶手段１０と、回線識別画像生成手段１１と、位置情報記憶手段１２と、合成手段１３とを含む。
【００３０】
復号手段８は、受信手段４によって受信したファクシミリ画像を復号する。回線識別手段９は、ファクシミリ画像の受信に用いられた通信回線２を識別する。
【００３１】
内容情報記憶手段１０は、各通信回線２ａ，２ｂ毎に異なる内容情報を記憶する。内容情報は、回線識別画像として出力すべき画像内容を示す。内容情報記憶手段１０は、内容情報として、ファクシミリ画像の受信に第１通信回線２ａが用いられた場合の第１内容情報と、ファクシミリ画像の受信に第２通信回線２ｂが用いられた場合の第２内容情報とを記憶する。
【００３２】
回線識別画像生成手段１１は、回線識別手段９による識別結果に応じて、各通信回線２ａ，２ｂ毎に異なる回線識別画像を生成する。ファクシミリ画像の受信に第１通信回線２ａが用いられたとき、回線識別画像生成手段１１は、回線識別画像として、第１内容情報に基づく第１回線識別画像を生成する。また、ファクシミリ画像の受信に第２通信回線２ｂが用いられたとき、回線識別画像生成手段１１は、回線識別画像として、第２内容情報に基づく第２回線識別画像を生成する。
【００３３】
位置情報記憶手段１２は、各通信回線２ａ，２ｂ毎に異なる位置情報を記憶する。位置情報は、ファクシミリ画像に対する回線識別画像の設定位置を示す。位置情報記憶手段１２は、位置情報として、ファクシミリ画像の受信に第１通信回線２ａが用いられた場合の第１設定位置と、ファクシミリ画像の受信に第２通信回線２ｂが用いられた場合の第２設定位置とを記憶する。
【００３４】
合成手段１３は、復号手段８によって復号したファクシミリ画像と、回線識別画像生成手段１１によって生成した回線識別画像とを合成して、合成画像を生成する。この合成手段１３は、ファクシミリ画像と回線識別画像とを合成するにあたって、位置情報記憶手段１２に記憶される位置情報を用いる。
【００３５】
ファクシミリ画像の受信に第１通信回線２ａが用いられたとき、合成手段１３は、ファクシミリ画像と第１回線識別画像とを、可視画像においてファクシミリ画像に対して第１回線識別画像が第１設定位置に配置されるように合成して、合成画像を生成する。また、ファクシミリ画像の受信に第２通信回線２ｂが用いられたとき、合成手段１３は、ファクシミリ画像と第２回線識別画像とを、可視画像においてファクシミリ画像に対して第２回線識別画像が第２設定位置に配置されるように合成して、合成画像を生成する。
【００３６】
ファクシミリ装置１は、設定手段１５をさらに含む。この設定手段１５は、ユーザによる操作によって、内容情報記憶手段１０に記憶される内容情報と位置情報記憶手段１２に記憶される位置情報とを設定し、かつその設定を変更する。
【００３７】
本実施の形態では、前記復号手段８は、ファクシミリ画像を復号してビットマップデータを生成する。また回線識別画像生成手段１１は、キャラクタジェネレータを用いて、キャラクタをビットマップ展開したビットマップデータを生成する。合成手段１３は、これらのビットマップデータを合成して、合成画像を生成する。
【００３８】
図２は、合成画像出力手段６によって記録シート２０に印刷して出力した合成画像の一例を示す図であり、図２（１）はファクシミリ画像の受信に第１通信回線２ａが用いられた場合を示し、図２（２）はファクシミリ画像の受信に第２通信回線２ｂが用いられた場合を示す。
【００３９】
記録シート２０は、その厚み方向から見た形状が矩形、たとえば長方形である。記録シート２０には、その長さ方向２１の中間の領域である中間領域２４に、ファクシミリ画像が形成される。また記録シート２０には、前記中間領域２４に関して長さ方向２１の一方側のヘッダー領域２５に、ファクシミリ画像の送信元などを示す送信元画像２６が形成される。
【００４０】
本実施の形態では、内容情報として、たとえば通信回線名が設定される。第１内容情報は「ＬＩＮＥ１」に設定され、第２内容情報は「ＬＩＮＥ２」に設定される。ファクシミリ画像の受信に第１通信回線２ａが用いられたとき、合成画像として、ファクシミリ画像とともに、「ＬＩＮＥ１」を示す第１回線識別画像２８が、記録シート２０に形成される。また、ファクシミリ画像の受信に第２通信回線２ｂが用いられたとき、合成画像として、ファクシミリ画像とともに、「ＬＩＮＥ２」を示す第２回線識別画像２９が、記録シート２０に形成される。
【００４１】
また本実施の形態では、第１および第２設定位置３１，３２は、記録シート２０の前記中間領域２４に関して長さ方向２１の他方側のフッター領域３３にそれぞれ設定され、さらに詳しくは、フッター領域３３の幅方向２２の両端付近にそれぞれ設定される。たとえば、第１設定位置３１はフッター領域３３の幅方向２２の一端付近に設定され、第２設定位置３２はフッター領域３３の幅方向２２の他端付近に設定される。
【００４２】
ファクシミリ画像の受信に第１通信回線２ａが用いられたときは、図２（１）に示すように、第１回線識別画像２８がフッター領域３３の幅方向２２の一端付近に形成される。また、ファクシミリ画像の受信に第２通信回線２ｂが用いられたときは、図２（２）に示すように、第２回線識別画像２９がフッター領域３３の幅方向２２の他端付近に形成される。
【００４３】
図３は、ファクシミリ装置１の構成を示すブロック図である。ファクシミリ装置１は、第１網制御部４１、第２網制御部４２、ファクシミリ送受信部４３、圧縮伸長部４４、画像処理部４５、記憶部４６、印刷部４７および制御部４８を含み、さらに原稿を読み取る読取部４９と、テンキーおよび後述の回線切換キー５７などを有するキー入力部５０と、電話番号などを表示する表示部５１と、音声を入出力する送受話部５２とを含む。
【００４４】
第１および第２網制御部４１，４２は、公衆回線網の第１および第２通信回線２ａ，２ｂへの接続および接続解除を制御し、他の通信装置との通信の開始および終了を制御する。第１網制御部４１は、第１通信回線２ａを介して着信信号を受信すると、着信通知を制御部４８に与える。第２網制御部４２は、第２通信回線２ｂを介して着信信号を受信すると、着信通知を制御部４８に与える。ファクシミリ送受信部４３は、ファクシミリ画像を受信する。これらの第１および第２網制御部４１，４２とファクシミリ送受信部４３とによって受信手段４が実現される。
【００４５】
圧縮伸長部４４は、復号手段８であって、ファクシミリ画像を復号する。画像処理部４５は、回線識別画像生成手段１１および合成手段１３であって、回線識別画像を生成し、ファクシミリ画像と回線識別画像とを合成して、合成画像を生成する。印刷部４７は、合成画像出力手段６であって、合成画像を印刷する。
【００４６】
記憶部４６は、内容情報記憶手段１０および位置情報記憶手段１２であって、内容情報および位置情報を記憶する。この記憶部４６は、たとえばフラッシュメモリのような書換え可能な記憶手段によって実現される。記憶部４６に記憶される内容情報および位置情報は、設定手段１５であるキー入力部５０の操作によって、設定され、または変更される。
【００４７】
制御部４８は、回線識別手段９であって、第１および第２網制御部４１，４２からの着信通知に基づいて、ファクシミリ画像の受信に用いられた通信回線２を識別する。この制御部４８は、ファクシミリ装置１の制御プログラムを記憶するＲＯＭ（Read Only
Memory）と、ＲＯＭに記憶される制御プログラムを実行する中央演算処理装置（Central Processing Unit、略称ＣＰＵ）とを含んで構成される。
【００４８】
図４は、ファクシミリ装置１における操作表示パネル部分５５を示す正面図である。操作表示パネル部分５５は、設置状態にあるファクシミリ装置１の上部に形成され、このファクシミリ装置１を操作するユーザに臨む。操作表示パネル部分５５は、前記表示部５１と、２つの点灯部５６ａ，５６ｂと、回線切換キー５７とを含む。
【００４９】
各点灯部５６ａ，５６ｂは、発光ダイオード（Light Emitting Diode、略称ＬＥＤ）を含んで構成される。これらの点灯部５６ａ，５６ｂは、第１および第２通信回線２ａ，２ｂのいずれが捕捉されているかを示す。第１通信回線２ａが捕捉されているときは、２つの点灯部の一方５６ａが点灯し、第２通信回線２ｂが捕捉されているときは、２つの点灯部の他方５６ｂが点灯する。一方の点灯部５６ａには、「ＬＩＮＥ１  ＩＮ  ＵＳＥ」と表示され、他方の点灯部５６ｂには、「ＬＩＮＥ２  ＩＮ  ＵＳＥ」と表示される。回線切換キー５７は、前記キー入力部５０に含まれる。ユーザは、回線切換キー５７を押下することによって、補足されている通信回線２を切換えることができる。
【００５０】
発呼手順を説明すると、オフフックによって、制御部４８は、予め定める通信回線２、たとえば第１通信回線２ａを捕捉して一方の点灯部５６ａを点灯させる。この状態で、回線切換キー５７が押下されると、制御部４８は、第１通信回線２ａの捕捉を解除して第２通信回線２ｂを捕捉し、一方の点灯部５６ａの点灯を解除して他方の点灯部５６ｂを点灯する。再び回線切換キー５７が押下されると、第１通信回線２ａを捕捉して一方の点灯部５６ａを点灯させた状態に戻る。第１および第２通信回線２ａ，２ｂのいずれか一方を捕捉した状態で、キー入力部５０のテンキーから発呼先電話番号が入力されると、制御部４８は発呼を行う。
【００５１】
図５は、ファクシミリ装置１を用いて実行される受信画像処理方法を説明するためのフローチャートである。第１または第２網制御部４１，４２から着信通知を与えられると、ステップａ１で、制御部４８は、受信画像処理を開始する。受信画像処理を開始すると、ステップａ２で、制御部４８は、第１通信回線２ａを介する受信であるか否かを判断する。
【００５２】
ステップａ２において、第１通信回線２ａを介する受信であると判断したとき、ステップａ３で、制御部４８は、後述の図６に示す第１出力処理を実行する。第１出力処理が終了すると、ステップａ４で、制御部４８は、受信画像処理を終了する。
【００５３】
ステップａ２において、第１通信回線２ａを介する受信ではないと判断したとき、ステップａ５で、制御部４８は、後述の図７に示す第２出力処理を実行する。第２出力処理が終了すると、ステップａ４に進む。
【００５４】
図６は、図５の第１出力処理を説明するためのフローチャートである。前述の図５のステップａ２において、第１通信回線２ａを介する受信であると判断すると、ステップｂ１で、制御部４８は、第１出力処理を開始する。
【００５５】
第１出力処理を開始すると、ステップｂ２で、制御部４８は、第１網制御部４１とファクシミリ送受信部４３とを接続して、ステップｂ３に進む。ステップｂ３で、制御部４８は、ファクシミリ送受信部４３に受信指令を与え、ファクシミリ送受信部４３によって、ファクシミリ画像を受信して、ステップｂ４に進む。
【００５６】
ステップｂ４で、制御部４８は、ファクシミリ送受信部４３によって受信したファクシミリ画像を、圧縮伸長部４４に与える。さらに制御部４８は、圧縮伸長部４４に復号指令を与え、圧縮伸長部４４によって、ファクシミリ画像を復号して、ステップｂ５に進む。
【００５７】
ステップｂ５で、制御部４８は、圧縮伸長部４４によって復号したファクシミリ画像を、画像処理部４５に与える。さらに制御部４８は、画像処理部４５に合成指令を与え、画像処理部４５によって、ファクシミリ画像と第１回線識別画像２８とを合成して、合成画像を生成する。このとき、制御部４８は、画像処理部４５によって、ファクシミリ画像と第１回線識別画像２８とを、第１回線識別画像２８が第１設定位置に配置されるように合成して、合成画像を生成する。
【００５８】
画像処理部４５によって合成画像を生成した後、ステップｂ６で、制御部４８は、合成画像を印刷部４７に与える。さらに制御部４８は、印刷部４７に印刷指令を与え、印刷部４７によって合成画像を記録シート２０に印刷して出力する。印刷部４７による印刷が終了した後、ステップｂ７で、制御部４８は、第１出力処理を終了する。
【００５９】
図７は、図５の第２出力処理を説明するためのフローチャートである。前述の図５のステップａ２において、第１通信回線２ａを介する受信ではないと判断すると、ステップｃ１で、制御部４８は、第２出力処理を開始する。
【００６０】
第２出力処理を開始すると、ステップｃ２で、制御部４８は、第２網制御部４２とファクシミリ送受信部４３とを接続して、ステップｃ３に進む。ステップｃ３で、制御部４８は、ファクシミリ送受信部４３に受信指令を与え、ファクシミリ送受信部４３によって、ファクシミリ画像を受信して、ステップｃ４に進む。
【００６１】
ステップｃ４で、制御部４８は、ファクシミリ送受信部４３によって受信したファクシミリ画像を、圧縮伸長部４４に与える。さらに制御部４８は、圧縮伸長部４４に復号指令を与え、圧縮伸長部４４によって、ファクシミリ画像を復号して、ステップｃ５に進む。
【００６２】
ステップｃ５で、制御部４８は、圧縮伸長部４４によって復号したファクシミリ画像を、画像処理部４５に与える。さらに制御部４８は、画像処理部４５に合成指令を与え、画像処理部４５によって、ファクシミリ画像と第２回線識別画像２９とを合成して、合成画像を生成する。このとき、制御部４８は、画像処理部４５によって、ファクシミリ画像と第２回線識別画像２９とを、第２回線識別画像２９が第２設定位置に配置されるように合成して、合成画像を生成する。
【００６３】
画像処理部４５によって合成画像を生成した後、ステップｃ６で、制御部４８は、合成画像を印刷部４７に与える。さらに制御部４８は、印刷部４７に印刷指令を与え、印刷部４７によって合成画像を記録シート２０に印刷して出力する。印刷部４７による印刷が終了した後、ステップｃ７で、制御部４８は、第１出力処理を終了する。
【００６４】
本実施の形態によれば、合成画像出力手段６によって記録シート２０に印刷して出力した合成画像は、図２に示すように、ファクシミリ画像に対する回線識別画像の位置が各通信回線２毎に異なる。このようにファクシミリ画像に対する回線識別画像の位置が各通信回線２毎に異なるので、ユーザは、通信結果を示す通信結果表を見なくても、合成画像が印刷された複数の記録シート２０を、各通信回線２毎に仕分けることができる。
【００６５】
また、ファクシミリ画像に対する回線識別画像の位置が各通信回線２毎に異なるので、出力した合成画像は、各通信回線２毎に見た目の相違が大きい。したがって、出力した合成画像が含むファクシミリ画像の受信に用いられた通信回線２についての識別性を向上することができる。通信回線２についての識別は、宛先についての識別に相当する。つまり本実施の形態によれば、出力した合成画像が含むファクシミリ画像の宛先についての識別性を向上することができる。前記ファクシミリ画像の宛先は、ファクシミリ画像の送信先である。
【００６６】
また本実施の形態によれば、第１および第２設定位置は、図２に示すように、フッター領域３３の幅方向２２の両端付近にそれぞれ設定される。つまり第１および第２設定位置は相互に離反する。このように第１および第２設定位置が相互に離反する場合、第１および第２設定位置が相互に近接する場合に比べて、出力した合成画像は、各通信回線２毎の見た目の相違が大きくなる。したがって、出力した合成画像が含むファクシミリ画像の宛先についての識別性を可及的に向上することができる。
【００６７】
また本実施の形態によれば、回線識別画像は、図２に示すように、フッター領域３３に形成される。つまり回線識別画像は、記録シート２０の縁辺付近に形成される。それ故、合成画像が印刷された複数の記録シート２０が積重されている場合であっても、ユーザは、これらの記録シート２０を長さ方向２１に相互にわずかにずらすだけで、回線識別画像を見ることができる。したがって、合成画像が印刷された複数の記録シート２０が積重されている場合の記録シート２０の仕分け作業を容易化することができる。
【００６８】
また本実施の形態によれば、回線識別画像は、ファクシミリ画像の送信元などを示す送信元画像２６が形成されるヘッダー領域２５ではなく、フッター領域３３に形成される。それ故、回線識別画像と、送信元画像２６とが近接することがなく、したがって回線識別画像の認識し易さを向上することができる。
【００６９】
また本実施の形態によれば、ファクシミリ画像の受信に第１通信回線２ａが用いられたとき、「ＬＩＮＥ１」を示す第１回線識別画像２８が記録シート２０に形成され、ファクシミリ画像の受信に第２通信回線２ｂが用いられたとき、「ＬＩＮＥ２」を示す第２回線識別画像２９が、記録シート２０に形成される。このように各通信回線２毎に異なる内容情報を有する回線識別画像が用いられるので、同一の内容情報を有する回線識別画像が用いられる場合に比べて、出力した合成画像は、各通信回線２毎の見た目の相違が大きくなる。したがって、出力した合成画像が含むファクシミリ画像の宛先についての識別性をさらに向上することができる。
【００７０】
また本実施の形態によれば、ファクシミリ画像の受信に第１通信回線２ａが用いられたとき、「ＬＩＮＥ１」を示す第１回線識別画像２８が記録シート２０に形成され、ファクシミリ画像の受信に第２通信回線２ｂが用いられたとき、「ＬＩＮＥ２」を示す第２回線識別画像２９が、記録シート２０に形成される。これらの回線識別画像は、操作表示パネル部分５５の点灯部５６ａ，５６ｂにおける表示である「ＬＩＮＥ１  ＩＮ  ＵＳＥ」および「ＬＩＮＥ２  ＩＮ  ＵＳＥ」と合わせてある。したがって、発呼の際に、捕捉している通信回線２がファクシミリ画像の受信に用いられた通信回線２であるか否かを、ユーザは容易に判断することができる。
【００７１】
本実施の形態によれば、設定手段１５を操作することによって、内容情報の変更が可能であるので、ファクシミリ装置１の使用形態に合わせて内容情報を変更することができ、利便性を向上することができる。
【００７２】
内容情報は、各通信回線２毎に予め割り当てられる電話番号であってもよく、また個人名であってもよい。さらに内容情報は、ファクシミリ装置１がたとえば会社で使用される場合、部門名であってもよい。
【００７３】
図８は、合成画像出力手段６によって記録シート２０に印刷して出力した合成画像の他の例を示す図であり、図８（１）はファクシミリ画像の受信に第１通信回線２ａが用いられた場合を示し、図８（２）はファクシミリ画像の受信に第２通信回線２ｂが用いられた場合を示す。図８に示す合成画像は、前記図２に示す合成画像に類似するので、同一の部分の説明は省略して、異なる部分だけを説明する。
【００７４】
第１設定位置６１はヘッダー領域２５の幅方向２２の他端付近に設定され、第２設定位置６２はフッター領域３３の幅方向２２の他端付近に設定される。ファクシミリ画像の受信に第１通信回線２ａが用いられたときは、図８（１）に示すように、第１回線識別画像２８がヘッダー領域２５の幅方向２２の他端付近に形成される。また、ファクシミリ画像の受信に第２通信回線２ｂが用いられたときは、図８（２）に示すように、第２回線識別画像２９がフッター領域３３の幅方向２２の他端付近に形成される。
【００７５】
図９は、合成画像出力手段６によって記録シート２０に印刷して出力した合成画像のさらに他の例を示す図であり、図９（１）はファクシミリ画像の受信に第１通信回線２ａが用いられた場合を示し、図９（２）はファクシミリ画像の受信に第２通信回線２ｂが用いられた場合を示す。図９に示す合成画像は、前記図２に示す合成画像に類似するので、同一の部分の説明は省略して、異なる部分だけを説明する。
【００７６】
第１設定位置６３はヘッダー領域２５の幅方向２２の他端付近に設定され、第２設定位置６４はフッター領域３３の幅方向２２の一端付近に設定される。ファクシミリ画像の受信に第１通信回線２ａが用いられたときは、図９（１）に示すように、第１回線識別画像２８がヘッダー領域２５の幅方向２２の他端付近に形成される。また、ファクシミリ画像の受信に第２通信回線２ｂが用いられたときは、図９（２）に示すように、第２回線識別画像２９がフッター領域３３の幅方向２２の一端付近に形成される。
【００７７】
図１０は、合成画像出力手段６によって記録シート２０に印刷して出力した合成画像を示す図であり、受信手段４が３つの通信回線に接続される場合、すなわち前記第１および第２通信回線２ａ，２ｂに加えて第３通信回線にも接続される場合の合成画像を示す。図１０（１）はファクシミリ画像の受信に第１通信回線２ａが用いられた場合を示し、図１０（２）はファクシミリ画像の受信に第２通信回線２ｂが用いられた場合を示し、図１０（３）はファクシミリ画像の受信に第３通信回線が用いられた場合を示す。図１０に示す合成画像は、前記図２に示す合成画像に類似するので、同様の部分の説明は省略して、異なる部分だけを説明する。
【００７８】
内容情報記憶手段１０は、内容情報として、ファクシミリ画像の受信に第３通信回線が用いられた場合の第３内容情報をさらに記憶する。第３内容情報は「ＬＩＮＥ３」に設定される。位置情報記憶手段１２は、位置情報として、ファクシミリ画像の受信に第３通信回線が用いられた場合の第３設定位置６７をさらに記憶する。第１設定位置６８はフッター領域３３の幅方向２２の一端付近に設定され、第２設定位置６９はフッター領域３３の幅方向２２の中央付近に設定され、第３設定位置６７はフッター領域３３の幅方向２２の他端付近に設定される。
【００７９】
ファクシミリ画像の受信に第１通信回線２ａが用いられたときは、図１０（１）に示すように、第１回線識別画像２８がフッター領域３３の幅方向２２の一端付近に形成される。また、ファクシミリ画像の受信に第２通信回線２ｂが用いられたときは、図１０（２）に示すように、第２回線識別画像がフッター領域３３の幅方向２２の中央付近に形成される。また、ファクシミリ画像の受信に第３通信回線が用いられたときは、図１０（３）に示すように、第３回線識別画像７０がフッター領域３３の幅方向２２の他端付近に形成される。
【００８０】
前述の図８〜図１０でも、合成画像出力手段６によって記録シート２０に印刷して出力した合成画像は、ファクシミリ画像に対する回線識別画像の位置が各通信回線２毎に異なる。しかも第１および第２設定位置は相互に離反する。したがって、出力した合成画像が含むファクシミリ画像の宛先についての識別性を可及的に向上することができるという効果を、達成することができる。
【００８１】
また回線識別画像は、記録シート２０の縁辺付近に形成されるので、合成画像が印刷された複数の記録シート２０が積重されている場合であっても、ユーザは、これらの記録シート２０を長さ方向２１に相互にわずかにずらすだけで、回線識別画像を見ることができる。したがって、合成画像が印刷された複数の記録シート２０が積重されている場合の記録シート２０の仕分け作業を容易化することができる。
【００８２】
前述の図２および図８〜図１０では、受信手段４が２つまたは３つの通信回線２に接続される場合の合成画像を示したが、受信手段４は、４つ以上の通信回線２に接続されてもよい。この場合でも、ファクリミリ画像に対する回線識別画像の位置を各通信回線２毎に異ならせることによって、出力した合成画像が含むファクシミリ画像の宛先についての識別性を向上することができるという効果を、達成することができる。
【００８３】
ファクリミリ画像に対する回線識別画像の位置は、必ずしも相互に離反する必要はなく、わずかにずれているだけでも、出力した合成画像が含むファクシミリ画像の宛先についての識別性を向上することができるという効果を、達成することができる。
【００８４】
図１１は、内容情報記憶手段１０に記憶される内容情報を示す図である。図１１には、受信手段４が３つの通信回線２に接続される場合に、内容情報記憶手段１０に記憶される内容情報を示す。内容情報記憶手段１０は、内容情報として、通信回線名７２と、電話番号７３と、部門名７４とを相互に関連付けて記憶する。このような内容情報は、前記設定手段１５であるキー入力部５０をユーザが操作することによって、設定され、またその設定が変更される。
【００８５】
図１２は、本発明の実施の他の形態のファクシミリ装置１０１の機能ブロック図である。本実施の形態のファクシミリ装置１０１は、前述の実施の形態のファクシミリ装置１に類似するので、同様の部分の説明は省略して、異なる部分だけを説明する。本実施の形態のファクシミリ装置１０１は、前述の位置情報記憶手段１２に代えて、態様情報記憶手段１０２を有する。
【００８６】
態様情報記憶手段１０２は、各通信回線２ａ，２ｂ毎に異なる態様情報を記憶する。態様情報は、回線識別画像の態様を示す。態様情報記憶手段１０２は、態様情報として、ファクシミリ画像の受信に第１通信回線２ａが用いられた場合の第１設定態様と、ファクシミリ画像の受信に第２通信回線２ｂが用いられた場合の第２設定態様とを記憶する。
【００８７】
図１３は、合成画像出力手段６によって記録シート２０に印刷して出力した合成画像の一例を示す図であり、図１３（１）はファクシミリ画像の受信に第１通信回線２ａが用いられた場合を示し、図１３（２）はファクシミリ画像の受信に第２通信回線２ｂが用いられた場合を示す。
【００８８】
本実施の形態では、内容情報として、たとえば通信回線名が設定される。第１内容情報は「ＬＩＮＥ１」に設定され、第２内容情報は「ＬＩＮＥ２」に設定される。また本実施の形態では、第１設定態様は黒文字に設定され、第２設定態様は白抜き文字に設定される。
【００８９】
ファクシミリ画像の受信に第１通信回線２ａが用いられたときは、図１３（１）に示すように、黒文字の第１回線識別画像１１１がヘッダー領域２５の幅方向２２の他端付近に形成される。また、ファクシミリ画像の受信に第２通信回線２ｂが用いられたときは、図１３（２）に示すように、白抜き文字の第２回線識別画像１１２がヘッダー領域２５の幅方向２２の他端付近に形成される。
【００９０】
本実施の形態のファクシミリ装置１０１を用いて実行される受信画像処理方法は、前述の実施の形態における受信画像処理方法に類似するので、同様の部分は説明を省略して、異なる部分だけを説明する。本実施の形態では、前述の実施の形態における第１出力処理に代えて、後述の図１４に示す第３出力処理が実行され、前述の実施の形態における第２出力処理に代えて、図１５に示す第４出力処理が実行される。
【００９１】
図１４は、第３出力処理を説明するためのフローチャートである。前述の図５のステップａ２において、第１通信回線２ａを介する受信であると判断すると、ステップｄ１で、制御部４８は、第３出力処理を開始する。
【００９２】
第３出力処理を開始すると、ステップｄ２で、制御部４８は、第１網制御部４１とファクシミリ送受信部４３とを接続して、ステップｄ３に進む。ステップｄ３で、制御部４８は、ファクシミリ送受信部４３に受信指令を与え、ファクシミリ送受信部４３によって、ファクシミリ画像を受信して、ステップｄ４に進む。
【００９３】
ステップｄ４で、制御部４８は、ファクシミリ送受信部４３によって受信したファクシミリ画像を、圧縮伸長部４４に与える。さらに制御部４８は、圧縮伸長部４４に復号指令を与え、圧縮伸長部４４によって、ファクシミリ画像を復号して、ステップｄ５に進む。
【００９４】
ステップｄ５で、制御部４８は、圧縮伸長部４４によって復号したファクシミリ画像を、画像処理部４５に与える。さらに制御部４８は、画像処理部４５に合成指令を与え、画像処理部４５によって、ファクシミリ画像と、第１設定態様の第１回線識別画像１１１とを合成して、合成画像を生成する。
【００９５】
画像処理部４５によって合成画像を生成した後、ステップｄ６で、制御部４８は、合成画像を印刷部４７に与える。さらに制御部４８は、印刷部４７に印刷指令を与え、印刷部４７によって合成画像を記録シート２０に印刷して出力する。印刷部４７による印刷が終了した後、ステップｄ７で、制御部４８は、第３出力処理を終了する。
【００９６】
図１５は、第４出力処理を説明するためのフローチャートである。前述の図５のステップａ２において、第１通信回線２ａを介する受信ではないと判断すると、ステップｅ１で、制御部４８は、第４出力処理を開始する。
【００９７】
第４出力処理を開始すると、ステップｅ２で、制御部４８は、第２網制御部４２とファクシミリ送受信部４３とを接続して、ステップｅ３に進む。ステップｅ３で、制御部４８は、ファクシミリ送受信部４３に受信指令を与え、ファクシミリ送受信部４３によって、ファクシミリ画像を受信して、ステップｅ４に進む。
【００９８】
ステップｅ４で、制御部４８は、ファクシミリ送受信部４３によって受信したファクシミリ画像を、圧縮伸長部４４に与える。さらに制御部４８は、圧縮伸長部４４に復号指令を与え、圧縮伸長部４４によって、ファクシミリ画像を復号して、ステップｅ５に進む。
【００９９】
ステップｅ５で、制御部４８は、圧縮伸長部４４によって復号したファクシミリ画像を、画像処理部４５に与える。さらに制御部４８は、画像処理部４５に合成指令を与え、画像処理部４５によって、ファクシミリ画像と、第２設定態様の第２回線識別画像１１２とを合成して、合成画像を生成する。
【０１００】
画像処理部４５によって合成画像を生成した後、ステップｅ６で、制御部４８は、合成画像を印刷部４７に与える。さらに制御部４８は、印刷部４７に印刷指令を与え、印刷部４７によって合成画像を記録シート２０に印刷して出力する。印刷部４７による印刷が終了した後、ステップｅ７で、制御部４８は、第４出力処理を終了する。
【０１０１】
本実施の形態によれば、合成画像出力手段６によって記録シート２０に印刷して出力した合成画像は、図１３に示すように、回線識別画像の態様が各通信回線２ａ，２ｂ毎に異なる。このように回線識別画像の態様が各通信回線２ａ，２ｂ毎に異なるので、ユーザは、通信結果を示す通信結果表を見なくても、合成画像が印刷された複数の記録シート２０を、各通信回線２ａ，２ｂ毎に仕分けることができる。
【０１０２】
また、回線識別画像の態様が各通信回線２ａ，２ｂ毎に異なるので、出力した合成画像は、各通信回線２ａ，２ｂ毎に見た目の相違が大きい。したがって、出力した合成画像が含むファクシミリ画像の受信に用いられた通信回線についての識別性を向上することができる。通信回線についての識別は、宛先についての識別に相当する。つまり本実施の形態によれば、出力した合成画像が含むファクシミリ画像の宛先についての識別性を向上することができる。
【０１０３】
また本実施の形態によれば、回線識別画像は、図１３に示すように、ヘッダー領域２５に形成される。つまり回線識別画像は、記録シート２０の縁辺付近に形成される。それ故、合成画像が印刷された複数の記録シート２０が積重されている場合であっても、ユーザは、これらの記録シート２０を長さ方向２１に相互にわずかにずらすだけで、回線識別画像を見ることができる。したがって、合成画像が印刷された複数の記録シート２０が積重されている場合の記録シート２０の仕分け作業を容易化することができる。
【０１０４】
また本実施の形態によれば、ファクシミリ画像の受信に第１通信回線２ａが用いられたとき、「ＬＩＮＥ１」を示す第１回線識別画像が記録シート２０に形成され、ファクシミリ画像の受信に第２通信回線２ｂが用いられたとき、「ＬＩＮＥ２」を示す第２回線識別画像が、記録シート２０に形成される。このように各通信回線２毎に異なる内容情報を有する回線識別画像が用いられるので、同一の内容情報を有する回線識別画像が用いられる場合に比べて、出力した合成画像は、各通信回線２毎の見た目の相違が大きくなる。したがって、出力した合成画像が含むファクシミリ画像の宛先についての識別性をさらに向上することができる。
【０１０５】
図１６は、合成画像出力手段６によって記録シート２０に印刷して出力した合成画像の他の例を示す図であり、図１６（１）はファクシミリ画像の受信に第１通信回線２ａが用いられた場合を示し、図１６（２）はファクシミリ画像の受信に第２通信回線２ｂが用いられた場合を示す。図１６に示す合成画像は、前記図１３に示す合成画像に類似するので、同一の部分の説明は省略して、異なる部分だけを説明する。
【０１０６】
第１および第２設定態様の違いは、キャラクタの大きさである。キャラクタは、文字および記号を含む。ファクシミリ画像の受信に第１通信回線２ａが用いられたときは、図１６（１）に示すように、所定の大きさの第１回線識別画像１１３がヘッダー領域２５の幅方向２２の他端付近に形成される。また、ファクシミリ画像の受信に第２通信回線２ｂが用いられたときは、図１６（２）に示すように、第１回線識別画像１１３よりも小さな第２回線識別画像１１４がヘッダー領域２５の幅方向２２の他端付近に形成される。
【０１０７】
図１７は、合成画像出力手段６によって記録シート２０に印刷して出力した合成画像のさらに他の例を示す図であり、図１７（１）はファクシミリ画像の受信に第１通信回線２ａが用いられた場合を示し、図１７（２）はファクシミリ画像の受信に第２通信回線２ｂが用いられた場合を示す。図１７に示す合成画像は、前記図１３に示す合成画像に類似するので、同一の部分の説明は省略して、異なる部分だけを説明する。
【０１０８】
第１および第２設定態様の違いは、キャラクタの太さである。ファクシミリ画像の受信に第１通信回線２ａが用いられたときは、図１７（１）に示すように、所定の太さの第１回線識別画像１１５がヘッダー領域２５の幅方向２２の他端付近に形成される。また、ファクシミリ画像の受信に第２通信回線２ｂが用いられたときは、図１７（２）に示すように、第１回線識別画像１１５よりも太い第２回線識別画像１１６がヘッダー領域２５の幅方向２２の他端付近に形成される。
【０１０９】
前述の図１６および図１７でも、合成画像出力手段６によって記録シート２０に印刷して出力した合成画像は、回線識別画像の態様が各通信回線２毎に異なる。したがって、出力した合成画像が含むファクシミリ画像の宛先についての識別性を向上することができるという効果を、達成することができる。
【０１１０】
態様情報は、前述のような黒文字および白抜き文字、大きさ、ならびに太さだけに限らない。態様情報は、色であってもよい。態様情報は、内容情報がキャラクタの場合、書体であってもよい。
【０１１１】
回線識別画像の位置は、必ずしもヘッダー領域２５の幅方向２２の他端付近に限らず、たとえばフッター領域３３の幅方向２２の一端付近、他端付近および中央付近であってもよい。この場合でも、出力した合成画像が含むファクシミリ画像の宛先についての識別性を向上することができるという効果を、達成することができる。
【０１１２】
送信元画像２６が形成されるヘッダー領域２５ではなく、フッター領域３３に、回線識別画像が形成される場合、回線識別画像と、送信元画像２６とが近接することがなく、したがって回線識別画像の認識し易さを向上することができる。
【０１１３】
前述の実施の各形態によれば、出力した合成画像が含むファクシミリ画像の宛先についての識別性を向上することができ、記録シート２０を各通信回線２毎に仕分ける仕分け作業を容易化することができる。したがって記録シート２０を各通信回線２毎に仕分けるための構成が別途、必要とされず、したがって小形のファクシミリ装置を実現することができる。
【０１１４】
前述の実施の各形態は、本発明の例示に過ぎず、本発明の範囲内において変更することができる。たとえば、図１〜図１１に示す実施の形態と、図１２〜図１７に示す実施の形態とを組み合わせて、本発明の実施のさらに他の形態を実現してもよい。前述の実施の各形態と異なる部分だけを説明すると、本実施の形態のファクシミリ装置における合成画像生成手段５は、ファクシミリ画像と回線識別画像とを、ファクリミリ画像に対する回線識別画像の位置を各通信回線２毎に異ならせ、かつ回線識別画像の態様を各通信回線２毎に異ならせて、合成して、合成画像を生成する。
【０１１５】
このような本実施の形態によれば、合成画像出力手段６によって記録シート２０に印刷して出力した合成画像は、ファクシミリ画像に対する回線識別画像の位置が各通信回線２毎に異なり、かつ回線識別画像の態様が各通信回線２毎に異なる。それ故、出力した合成画像は、各通信回線２毎に見た目の相違が大きい。したがって、出力した合成画像が含むファクシミリ画像の受信に用いられた通信回線２についての識別性を向上することができる。通信回線２についての識別は、宛先についての識別に相当する。つまり本実施の形態でも、出力した合成画像が含むファクシミリ画像の宛先についての識別性を向上することができるという効果を、達成することができる。
【０１１６】
また合成画像出力手段６は、必ずしも合成画像を印刷して出力する印刷部４７によって実現される必要はなく、合成画像出力手段６は、合成画像を表示する表示部によって実現されてもよい。合成画像出力手段６は、合成画像をフレキシブルディスクなどの記録媒体に書き込む書込部によって実現されてもよい。合成画像出力手段６は、合成画像を他の装置に送信する送信部によって実現されてもよい。
【０１１７】
また内容情報は、記号であってもよく、また模様であってもよい。このような場合であっても、出力した合成画像が含むファクシミリ画像の宛先についての識別性を向上することができるという効果を、達成することができる。
【０１１８】
また内容情報は、必ずしも各通信回線２毎に異なる必要はなく、同一であってもよい。このように内容情報が同一、たとえば黒丸などの模様であっても、その位置または大きさを各通信回線２毎に異ならせることによって、出力した合成画像が含むファクシミリ画像の宛先についての識別性を向上することができるという効果を、達成することができる。
【０１１９】
またファクシミリ画像と回線識別画像とを、必ずしも回線識別画像がヘッダー領域２５またはフッター領域３３に形成されるように合成する必要はなく、中間領域２４に回線識別画像が形成されるように合成してもよい。
【図面の簡単な説明】
【０１２０】
【図１】本発明の実施の一形態のファクシミリ装置１の機能ブロック図である。
【図２】合成画像出力手段６によって記録シート２０に印刷して出力した合成画像の一例を示す図である。
【図３】ファクシミリ装置１の構成を示すブロック図である。
【図４】ファクシミリ装置１における操作表示パネル部分５５を示す正面図である。
【図５】ファクシミリ装置１を用いて実行される受信画像処理方法を説明するためのフローチャートである。
【図６】図５の第１出力処理を説明するためのフローチャートである。
【図７】図５の第２出力処理を説明するためのフローチャートである。
【図８】合成画像出力手段６によって記録シート２０に印刷して出力した合成画像の他の例を示す図である。
【図９】合成画像出力手段６によって記録シート２０に印刷して出力した合成画像のさらに他の例を示す図である。
【図１０】合成画像出力手段６によって記録シート２０に印刷して出力した合成画像を示す図である。
【図１１】内容情報記憶手段１０に記憶される内容情報を示す図である。
【図１２】本発明の実施の他の形態のファクシミリ装置１０１の機能ブロック図である。
【図１３】合成画像出力手段６によって記録シート２０に印刷して出力した合成画像の一例を示す図である。
【図１４】第３出力処理を説明するためのフローチャートである。
【図１５】第４出力処理を説明するためのフローチャートである。
【図１６】合成画像出力手段６によって記録シート２０に印刷して出力した合成画像の他の例を示す図である。
【図１７】合成画像出力手段６によって記録シート２０に印刷して出力した合成画像のさらに他の例を示す図である。
【符号の説明】
【０１２１】
１，１０１  ファクシミリ装置
４  受信手段
５  合成画像生成手段
６  合成画像出力手段
８  復号手段
９  回線識別手段
１０  内容情報記憶手段
１１  回線識別画像生成手段
１２  位置情報記憶手段
１３  合成手段
１５  設定手段
１０２  態様情報記憶手段
【図１】
2005260463.tif 000003
【図２】
2005260463.tif 000004
【図３】
2005260463.tif 000005
【図４】
2005260463.tif 000006
【図５】
2005260463.tif 000007
【図６】
2005260463.tif 000008
【図７】
2005260463.tif 000009
【図８】
2005260463.tif 000010
【図９】
2005260463.tif 000011
【図１０】
2005260463.tif 000012
【図１１】
2005260463.tif 000013
【図１２】
2005260463.tif 000014
【図１３】
2005260463.tif 000015
【図１４】
2005260463.tif 000016
【図１５】
2005260463.tif 000017
【図１６】
2005260463.tif 000018
【図１７】
2005260463.tif 000019